(57)【要約】【課題】フタと収納箱本体とを容易にロック／解除し、複数の収納箱を積み重ねる際に、留め金と上方に重ねる収納箱との干渉を避ける。【解決手段】上面に凹部１１を有する板状のフタ３と、凹部１１の外形よりやや小なる外形を有する底部６を有し、上方が開口された箱形状の本体部１２と、本体部１２の上端部より外方に突出し外形がフタ３の外形と略同形状であるフランジ部８と、を有する収納箱本体２と、からなる収納箱１であって、フタ３は、重ねられたフタ３とフランジ部８の縁部を挟持可能な断面Ｕ字形状の挟持部１８と、挟持部１８とフタ３とを回動自在に接続する回動軸部１９とを有する留め金を有する収納箱１。【選択図】図２
2016013848.tif 000002
【特許請求の範囲】
【請求項１】
上面に凹部を有する板状のフタと、
前記凹部の外形よりやや小なる外形を有する底部を有し、上方が開口された箱形状の本体部と、前記本体部の上端部より外方に突出し外形が前記フタの外形と略同形状であるフランジ部と、を有する収納箱本体と、からなる収納箱であって、
前記フタは、重ねられた前記フタと前記フランジ部の縁部を挟持可能な断面Ｕ字形状の挟持部と、前記挟持部と前記フタとを回動自在に接続する回動軸部とを有する留め金を有することを特徴とする収納箱。
【請求項２】
前記留め金は、前記フタとフランジ部とを挟持した状態において、平面視にて前記凹部に干渉しない大きさに形成されていることを特徴とする請求項１に記載の収納箱。
【請求項３】
前記留め金の挟持部は、前記フタと前記フランジ部とを挟持する一対の対向面部を有し、前記一対の対向面部同士の間隔は、前記フタと前記フランジ部とを重ねた厚さと略同一とされていることを特徴とする請求項１又は請求項２に記載の収納箱。
【請求項４】
前記フタ及び前記収納箱本体が、耐熱・耐薬品性を有する樹脂によって形成され、
前記収納箱本体の内部に収納され、上方が開口されて金網によって形成された箱体を有することを特徴とする請求項１から請求項３のいずれか一項に記載の収納箱。
【発明の詳細な説明】
【技術分野】
【０００１】
本発明は、上方が開口された箱形状の収納箱本体と、この収納箱本体の上面に組み合わせられるフタとを有する収納箱に関する。
【背景技術】
【０００２】
家庭などで用いられる収納箱としては、特許文献１に記載れているような、積み重ねて使用するのに適したものが知られている。具体的には、上方が開口されたプラスチック製の箱体に、プラスチック製のフタを着脱自在に取り付けた収納箱が一般的である。このような収納箱は、収納箱を積み重ねた際にずれないように、フタの上面と箱体の底部とが係合するような形状となっている。
【０００３】
また、このような収納箱においては、フタを箱体に固定するためのロック機構を備えたものがある。
【先行技術文献】
【特許文献】
【０００４】
【特許文献１】特開平５−３３８６５４号公報
【発明の概要】
【発明が解決しようとする課題】
【０００５】
ところで、上記したような収納箱のロック機構は、ロック及びロック解除の動作に、一定の操作力が必要とされ、状況によっては円滑に動作を行えない場合があった。また、ロック機構の形状によっては、収納箱の積み重ねの際に、ロック機構と上部の収納箱とが干渉して、積み重ねに支障が生じる場合があった。
【０００６】
この発明は、フタと収納箱本体とを有する収納箱において、フタと収納箱本体とを容易にロック／解除することができとともに、複数の収納箱を積み重ねる際に、留め金と上方に重ねる収納箱との干渉を避けることができる収納箱を提供することを目的とする。
【課題を解決するための手段】
【０００７】
本発明の第一の態様によれば、収納箱は、上面に凹部を有する板状のフタと、前記凹部の外形よりやや小なる外形を有する底部を有し、上方が開口された箱形状の本体部と、前記本体部の上端部より外方に突出し外形が前記フタの外形と略同形状であるフランジ部と、を有する収納箱本体と、からなる収納箱であって、前記フタは、重ねられた前記フタと前記フランジ部の縁部を挟持可能な断面Ｕ字形状の挟持部と、前記挟持部と前記フタとを回動自在に接続する回動軸部とを有する留め金を有することを特徴とする。
【０００８】
このような構成によれば、留め金の挟持部を回動させることによってフタと収納箱本体とを容易にロック／解除することができる。また、複数の収納箱を積み重ねる際に、留め金と上方に重ねる収納箱との干渉を避けることができる。
【０００９】
上記収納箱において、前記留め金は、前記フタとフランジ部とを挟持した状態において、平面視にて前記凹部に干渉しない大きさに形成されている構成としてもよい。
【００１０】
上記収納箱において、前記留め金の挟持部は、前記フタと前記フランジ部とを挟持する一対の対向面部を有し、前記一対の対向面部同士の間隔は、前記フタと前記フランジ部とを重ねた厚さと略同一とされている構成としてもよい。
このような構成によれば、フタ・フランジ部と挟持部との間の摩擦力によってロック状態を維持させることができる。
【００１１】
上記収納箱において、前記フタ及び前記収納箱本体が、耐熱・耐薬品性を有する樹脂によって形成され、前記収納箱本体の内部に収納され、上方が開口されて金網によって形成された箱体を有する構成としてもよい。
このような構成によれば、箱体に被洗浄物品を入れてフタを取り外した状態で、被洗浄物品を洗浄する際に、容易に水切りを行うことができる。
【発明の効果】
【００１２】
本発明によれば、留め金の挟持部を回動させることによってフタと収納箱本体とを容易にロック／解除することができる。また、複数の収納箱を積み重ねる際に、留め金と上方に重ねる収納箱との干渉を避けることができる。
【図面の簡単な説明】
【００１３】
【図１】本発明の実施形態の収納箱の斜視図である。
【図２】本発明の実施形態の収納箱の分解斜視図である。
【図３】本発明の実施形態の収納箱の水平方向から見た断面図である。
【図４】本発明の実施形態の収納箱の留め金の斜視図である。
【図５】本発明の実施形態の収納箱の留め金の側面図であって、図４のＡ矢視図である。
【発明を実施するための形態】
【００１４】
以下、本発明の実施形態の収納箱１について図面を参照して詳細に説明する。
本実施形態の収納箱１は、例えば、メス等の医療用器材を収納可能なフタ３を有する箱体である。図１及び図２に示すように、収納箱１は、上方が開口された箱形状の収納箱本体２と、収納箱本体２の開口部９に取り付けられるフタ３と、を有している。また、収納箱１は、収納箱本体２の内部に収納可能なメッシュバスケット４（箱体）を有している。
【００１５】
収納箱本体２は、矩形状の底部６を有し、底部６の四辺から上方に立ち上がるように形成された４面の壁部７と、を有する本体部１２と、壁部７の上端部より水平方向の外方に突出するフランジ部８と、を有している。本体部１２は上方が開口され箱形状をなしている。
４面の壁部７の上端であって、本体部１２の開口部９は、底部６よりやや大なる矩形状をなしている。４面の壁部７同士の接続部は、滑らかに接続されている。これにより、本体部１２の壁部７の上方から見た形状は、四隅が丸面取りされた矩形状をなしている。
フランジ部８は、内側の縁部が４面の壁部７の上端によって形成される開口部９と一致する、矩形枠形状をなしている。フランジ部８の外側の縁部（外形）は、後述するフタ３の外形と略同形状となるように形成されている。
本体部１２及びフランジ部８の板厚は、例えば、２ｍｍとすることができる。
【００１６】
フタ３は、収納箱本体２の開口部９を塞ぐ矩形板形状をなす板状部材である。フタ３の外形は、フランジ部８の外側の縁部と略一致する形状を有している。換言すれば、フタ３の外形は、矩形状の収納箱本体２の開口部９より、やや大なる外形を有している。
【００１７】
図３に示すように、フタ３の下面は、フタ３の縁部近傍を除く部分が下方にやや突出する形状を有している。即ち、フタ３の下面には、フタ３の外形よりもやや小さい突部１０が形成されている。突部１０の上方から見た外形は、収納箱本体２の開口部９に対応した形状であり、収納箱本体２の開口部９よりもやや小さな矩形状をなしている。上述したように、壁部７は、四隅が丸面取りされた矩形状をなしているため、突部１０の四隅も丸面取りされた矩形状をなしている。
【００１８】
フタ３の上面は、フタ３の縁部近傍を除く部分が下方にやや凹んだ形状を有している。即ち、フタ３の上面には、フタ３の外形よりもやや小さくされた凹部１１が形成されている。凹部１１の形状は突部１０に対応しており、平面視における突部１０と凹部１１の位置及び形状は略同一である。
【００１９】
凹部１１の平面視における形状は、収納箱本体２の底部６の外形をやや大きくした形状とされている。換言すれば、収納箱本体２の底部６は、凹部１１の外形よりやや小なる外形を有している。即ち、フタ３の上面に収納箱本体２を載置した場合に、収納箱本体２の底部６が凹部１１の外縁内に収まるような形状とされている。
収納箱本体２の底部６と凹部１１の大きさがこのように設定されていることによって、収納箱１の上部に収納箱１を積み重ねた場合（スタッキング）に、上方の収納箱１が水平方向に滑るのを防止することができる。即ち、収納箱１上に載置された収納箱１を水平方向に押した場合に、上方の収納箱本体２の底部６が凹部１１に引っかかることによって、それ以上上方の収納箱１が移動しなくなる。
【００２０】
フタ３の上面の中央部には、取手部１３が形成されている。取手部１３は、一対の把持溝１４によって形成されている。取手部１３は、一対の把持溝１４のそれぞれに指を差し入れることによってフタ３を上方に摘み上げることができる形状とされている。
フタ３の板厚は、例えば、２ｍｍとすることができる。
【００２１】
フタ３及びフランジ部８が上述したような形状とされていることによって、フタ３を収納箱本体２の上部に載置することにより、フタ３の突部１０が収納箱本体２の開口部９に組み合わされる。これにより、フタ３が水平方向にずれるのを防止している。即ち、フタ３が水平方向に移動すると、突部１０が収納箱本体２の壁部７内側に当接することによって、フタ３の水平移動が抑制される。
【００２２】
収納箱１の収納箱本体２及びフタ３は、例えば、ポリフェノールサルフォン（ＰＰＳＦ，polyphenylsulfone）のような耐熱、耐薬品性に優れ、透明性を有する樹脂によって形成されている。収納箱１の収納箱本体２及びフタ３の材料としては、上述した樹脂に限ることはなく、他の樹脂や、アルミニウムなどの金属の採用も可能である。例えば、フタ３及び収納箱本体２に要求される耐熱耐寒温度は、−４０℃〜１９０℃である。
【００２３】
メッシュバスケット４は、収納箱１の内部空間よりやや小さな大きさのバスケットである。メッシュバスケット４は、上方が開口された直方体形状をなしている。メッシュバスケット４は、各面の縁を構成する枠部１５と、各面の面を構成するメッシュ部１６（金網）とからなる。メッシュ部１６は、例えばＳＵＳ３０４のようなステンレス鋼によって形成されている網状の部位である。
【００２４】
メッシュバスケット４の枠部１５もＳＵＳ３０４によって形成されている。メッシュバスケット４を形成する材料は、ＳＵＳ３０４に限らず、耐食性を有する金属であれば他の金属の採用も可能である。
【００２５】
そして、本実施形態のフタ３には、一対の留め金５が設けられている。留め金５は、フタ３を収納箱本体２に取り付けた上で、フタ３を収納箱本体２に固定（ロック）可能にする金具である。なお、図１にはロック状態の留め金５を示し、図２にはロック解除状態の留め金５を示している。
【００２６】
図４に示すように、留め金５は、重ねられたフタ３とフランジ部８の縁部を挟持可能な断面Ｕ字形状の挟持部１８と、挟持部１８と一体に形成された回動軸部１９と、から構成されている。挟持部１８は、一方向に長さを有する矩形状の背面部２０と、背面部２０の長手方向に沿う一対の長辺に接続される一対の矩形状の対向面部２１と、から構成されている。対向面部２１は、背面部２０と直交するように接続されている。
これにより、一対の対向面部２１の間隔Ｇ（図５参照）は、背面部２０の長手方向に直交する方向に沿う短辺の長さと略同一となる。一対の対向面部２１同士の間隔は、収納箱本体２とフタ３とを組み合わせた際の、フタ３の上面と収納箱本体２のフランジ部８の下面との間隔と略同一か、やや大きくなるように形成されている。
【００２７】
より詳細には、一対の対向面部２１同士の間隔Ｇは、収納箱本体２とフタ３とを組み合わせた状態で、一対の対向面部２１の間にフタ３とフランジ部８とが挿入されるように挟持部１８を取り付けた場合に、フタ３とフランジ部８の弾性によって、一対の対向面部２１が押圧されるように設定されている。
【００２８】
また、挟持部１８の対向面部２１の先端部には、留め金５をロック状態にする際に、留め金５が円滑にスライドするように形成された折り曲げ部２６が設けられている。具体的には、折り曲げ部２６は、対向面部２１における回動軸部１９とは反対側の角部に形成されている。折り曲げ部２６は、対向面部２１の片側に形成してもよいし、対向面部２１の両側に形成してもよい。
【００２９】
図１に示すように、留め金５の挟持部１８は、フタ３とフランジ部８とを挟持したロック状態において、平面視にて凹部１１に干渉しない大きさに形成されている。具体的には、背面部２０がフタ３及びフランジ部８の外縁部に当接した状態において、対向面部２１と凹部１１との間に隙間が生じるように形成されている。
また、留め金５は、板金加工によって一体に形成されているが、これに限ることはない。例えば、断面Ｕ字状の挟持部１８と、挟持部１８を回動自在とする回動軸部１９とを別体として形成し、溶接などの手段により接合してもよい。
【００３０】
回動軸部１９は、一対の対向面部２１のうちの一方に、対向面部２１を延長するように接続された板状部２２と、板状部２２の中央に設けられたリベット挿通孔２３と、リベット挿通孔２３を介して留め金５をフタ３とを回動自在に固定するリベット２４（図５参照）と、を有している。図５に示すように、留め金５は、回動軸部１９の板状部２２に形成されているリベット挿通孔２３と、フタ３に形成されているリベット挿通孔（図示せず）とにリベット２４を挿通することによって、フタ３に回動自在に接続されている。
【００３１】
留め金５は、フタ３の外形をなす矩形状の外縁のうち、対向する一対の辺にそれぞれ取り付けられている。具体的には、一対の留め金５は、対向する一辺の一方の端部近傍に回動軸部１９が配置され、かつ、一対の留め金５がフタ３の平面視における中央を対称点として、点対象となるように配置されている。
留め金５の配置位置、配置数は、フタ３を安定して固定することができれば、これに限ることはなく、例えば、３つ以上配置してもよい。留め金５の配置位置は、例えば、２つの配置であれば、フタ３の中央に対して点対称となるように配置することが好ましいが、これに限ることはない。
【００３２】
次に、本実施形態の収納箱１の使用方法について説明する。本実施形態の収納箱１は、例えば、医療用メスなどの被収洗浄品の運搬、滅菌・洗浄に用いることができる。
使用者は、まず、フタ３を取り外して、収納箱本体２の中に配置されているメッシュバスケット４の中に被洗浄物品を収納する。次いで、フタ３を収納箱本体２に取り付けた後、留め金５を回動させてフタ３を収納箱本体２に固定する。
【００３３】
収納箱１は所定のカートによって、洗浄を行う部屋（中央材料室）に搬送される。この間、フタ３がロックされていることによって、メスなどの被洗浄物品に付着している感染性物質など、外気に露呈させたくない物質を遮断することができる。
洗浄を行う部屋に搬送された収納箱１からはフタ３が取り外され、被洗浄物品が入ったメッシュバスケット４が取り出される。メッシュバスケット４及び被洗浄物品は、例えば、手洗いされた後、自動洗浄機にて洗浄され、適宜乾燥・滅菌処理などを施した後、再利用される。また、収納箱本体２が耐熱・耐薬品性を有する樹脂によって形成されていることによって、メッシュバスケット４を収納箱１から取り出すことなく、滅菌・洗浄処理を行うこともできる。
【００３４】
上記実施形態によれば、留め金５の挟持部１８を回動させることによってフタ３と収納箱本体２とを容易にロック／解除することができる。即ち、単純な操作により、留め金５を回動させることができるので、例えば、手袋を着用している場合においても容易に、留め金５のロック・解除動作を行うことができる。
また、複数の収納箱１を積み重ねる際に、留め金５と上方に重ねる収納箱１との干渉を避けることができる。
【００３５】
また、留め金５の挟持部１８の一対の対向面部２１同士の間隔Ｇが、フタ３とフランジ部８とを重ねた厚さと略同一とされていることによって、フタ３・フランジ部８と挟持部１８との間の摩擦力によってロック状態を維持させることができる。
【００３６】
また、収納箱１がメッシュバスケット４を有することによって、メッシュバスケット４に被洗浄物品を入れてフタ３を取り外した状態で、被洗浄物品を洗浄する際に、容易に水切りを行うことができる。
また、一対の留め金５がフタ３の中央を対称点として、点対称となるように配置されていることによって、フタ３と収納箱本体２とをバランスよく固定することができる。
また、留め金５に折り曲げ部２６が形成されていることによって、留め金５を円滑にロック状態にスライドさせることができる。
【００３７】
以上、本発明の実施形態について図面を参照して詳述したが、各実施形態における各構成及びそれらの組み合わせ等は一例であり、本発明の趣旨から逸脱しない範囲内で、構成の付加、省略、置換、及びその他の変更が可能である。また、本発明は実施形態によって限定されることはなく、クレームの範囲によってのみ限定される。
例えば、上記実施形態では、収納箱本体は四隅が丸面取りされた形状としたが、これに限らず、面取りを施す必要はない。
【符号の説明】
【００３８】
１  収納箱
２  収納箱本体
３  フタ
４  メッシュバスケット（箱体）
５  留め金
６  底部
７  壁部
８  フランジ部
９  開口部
１０  突部
１１  凹部
１２  本体部
１３  取手部
１４  把持溝
１５  枠部
１６  メッシュ部（金網）
１８  挟持部
１９  回動軸部
２０  背面部
２１  対向面部
２２  板状部
２３  リベット挿通孔
２４  リベット
２６  折り曲げ部
【図１】
2016013848.tif 000003
【図２】
2016013848.tif 000004
【図３】
2016013848.tif 000005
【図４】
2016013848.tif 000006
【図５】
2016013848.tif 000007